(57)【要約】  【課題】  この発明は、車両の横転対応保護装置において、シートバックの上方にバックウィンドを配設した車両における、横転時等のバックウィンドからの乗員の身体の一部が車外移動するという現象を防止して、乗員保護性能をさらに向上することができる車両の横転対応保護装置を提供することを目的とする。  【解決手段】  バックウィンドカーテンエアバッグ装置は、バックウィンド４の左右縁部近傍に設置するエアバッグ本体２０と、エアバッグ本体２０に供給するガスを噴出するインフレータ２１と、インフレータ２１で噴出したガスをエアバッグ本体２０に供給する連通管２２とを有する。    【選択図】  図３
2007055392.tif 000002
【特許請求の範囲】
【請求項１】
車室内に配置したシートの少なくとも立設状態にあるシートバックの上方に、バックウィンドが位置する車両の横転対応保護装置であって、車両の横転を検出し又は予知して横転を判定する横転判定手段と、収納状態でバックウィンドの左右縁部近傍に夫々設置された複数のエアバッグ本体とを備え、上記夫々のエアバッグ本体は、上記横転判定手段で横転を判定した時に、上記バックウィンドの車幅方向内方側に向けてカーテン状に展開膨張するように構成されたことを特徴とする車両の横転対応保護装置。
【請求項２】
上記複数のエアバッグ本体は、上記バックウィンドの上縁部近傍に設定された上縁取付部に固定され、供給されたガスにより膨張される膨張部を有し、該膨張部は、上記左右縁部と上記上縁取付部とから上記バックウィンドの車幅方向内方側に向けて展開膨張を行うように構成された請求項１記載の車両の横転対応保護装置。
【請求項３】
上記バックウィンドは、該バックウィンドの上縁部において、車幅方向中央部分が車幅方向外方部分よりも車両後方側に位置するよう湾曲形成され、上記エアバッグ本体は、上記バックウィンドの車幅方向内方側に向けて展開膨張を行うように構成された請求項２記載の車両の横転対応保護装置。
【請求項４】
上記複数のエアバッグ本体は、展開膨張された状態で上記バックウィンドの上縁部近傍において車両前後方向に互いに重畳するように構成された請求項１に記載の車両の横転対応保護装置。
【請求項５】
上記複数のエアバッグ本体は、夫々の展開膨張開始タイミングが異なるように設定された請求項４記載の車両の横転対応保護装置。
【請求項６】
上記バックウィンドは、該バックウィンドの上縁部において、車幅方向中央部分が車幅方向外方部分よりも車両後方側に位置するよう湾曲形成され、上記横転判定手段は、車両の横転時に車両の左右の内の下方側となる一方を判定するとともに、上記複数のエアバッグ本体の上記下方側となる一方を先に展開膨張させるように構成された請求項５記載の車両の横転対応保護装置。
【発明の詳細な説明】
【技術分野】
【０００１】
この発明は、車両における横転対応保護装置に関し、特に、スポーツカー等のバックウィンドをシートバックの上方に配設した車両の横転対応保護装置に関する。
【背景技術】
【０００２】
従来、乗員保護のため、車両の横転時等にサイドウィンドの周縁部に設けたエアバッグ本体をカーテン状に展開膨張させて、乗員の身体の一部がサイドウィンドから車外方向へ移動するのを抑制する横転対応のエアバッグ装置が知られている。  
【０００３】
例えば、下記特許文献１には、サイドウィンドの周縁部のピラーとサイドレールに収納状態のカーテン状のエアバッグ本体を設置して、横転等を検出した場合に、このエアバッグ本体をカーテン状に展開膨張させることで、サイドウィンドの車室内方側にエアバッグ本体を位置させて、乗員保護を行う横転対応用のカーテンエアバッグ装置が開示されている。  
【０００４】
【特許文献１】特開２００１−３２８５０３号公報
【発明の開示】
【発明が解決しようとする課題】
【０００５】
ところで、例えば、スポーツカー等の車両においては、車高を低くして、走行中の空気抵抗を少なくするために、車両後部のバックウィンドを緩やかに水平方向に傾斜するように配設することが多い。  
【０００６】
このようにバックウィンドを緩やかに傾斜させた場合には、シートバックの上方までバックウィンドが位置して、乗員の頭部がバックウィンドの下方に位置することがある。  
【０００７】
しかし、このように乗員の頭部がバックウィンドの下方に位置した場合には、車両が横転した際に、このバックウィンドから乗員の身体の一部が車外方向へ移動する可能性が生じる。  
【０００８】
この現象に対して、前述の特許文献１のカーテンエアバッグ装置では、エアバッグ本体をサイドウィンドの周縁部に設けているだけなので、充分に対応することができなかった。  
【０００９】
そこで、この発明は、車両の横転対応保護装置において、シートバックの上方にバックウィンドを配設した車両の横転時等における、バックウィンドからの乗員の身体の一部の車外移動を抑制して、乗員保護性能をさらに向上することができる車両の横転対応保護装置を提供することを目的とする。
【課題を解決するための手段】
【００１０】
車室内に配置したシートの少なくとも立設状態にあるシートバックの上方に、バックウィンドが位置する車両の横転対応保護装置であって、車両の横転を検出し又は予知して横転を判定する横転判定手段と、収納状態でバックウィンドの左右縁部近傍に夫々設置された複数のエアバッグ本体とを備え、上記夫々のエアバッグ本体は、上記横転判定手段で横転を判定した時に、上記バックウィンドの車幅方向内方側に向けてカーテン状に展開膨張するように構成されたものである。  
【００１１】
上記構成によれば、シートバックの上方にバックウィンドが位置する車両において、横転判定手段で横転を判定すると、バックウィンドの左右側縁部近傍に夫々設置した複数のエアバッグ本体が、バックウィンドの車幅方向内方に向けてカーテン状に展開膨張することになる。  
【００１２】
このため、シートバックの上方にバックウィンドが位置した車両においても、車両の横転時又は横転予知時に、カーテン状に展開膨張するエアバッグ本体が、バックウィンドの車室内方側に位置して乗員の身体の一部の車外移動を抑制することができる。
【００１３】
ここで、バックウィンドの左右側縁部近傍とは、バックウィンドの左側及び右側おいて夫々位置するバックウィンドの縁部や車室内後部の左右部分を含むものであり、バックウィンドの左右に位置するものであれば、特に限定されるものではない。  
【００１４】
また、横転判定手段は、車両のロール角や車両に生じる重力加速度等を検出して横転判定を行うものや、車速やハンドル舵角によって横転予測を行って横転予知を行うものなど、あらゆるものを含むものである。  
【００１５】
この発明の一実施態様においては、上記複数のエアバッグ本体は、上記バックウィンドの上縁部近傍に設定された上縁取付部に固定され、供給されたガスにより膨張される膨張部を有し、該膨張部は、上記左右縁部と上記上縁取付部とから上記バックウィンドの車幅方向内方側に向けて展開膨張を行うように構成されたものである。  
【００１６】
上記構成によれば、左右のエアバッグ本体は、夫々膨張部が、エアバッグ本体が配置された左縁部又は右縁部と上縁取付部とから、上記バックウィンドの車幅方向内方側に向けてカーテン状に展開膨張されることになる。  
【００１７】
このため、乗員の頭部に近いバックウィンド上縁部をエアバッグ本体で確実に塞ぐことができるとともに、バックウィンド上縁部において、エアバッグ本体の膨張部を早期に展開膨張することができる。  
【００１８】
よって、乗員の身体の一部の車外移動をより確実に抑制することができる。
【００１９】
この発明の一実施態様においては、上記バックウィンドは、該バックウィンドの上縁部において、車幅方向中央部分が車幅方向外方部分よりも車両後方側に位置するよう湾曲形成され、上記エアバッグ本体は、上記バックウィンドの車幅方向内方側に向けて展開膨張を行うように構成されたものである。  
【００２０】
上記構成によれば、エアバッグ本体は、バックウィンドの乗員の頭部から後方側に比較的離間した部分で展開膨張させることになる。  
【００２１】
このため、エアバッグ本体が展開膨張する際に、該エアバッグ本体が乗員の頭部に干渉することを可及的に防ぐことができる。  
【００２２】
よって、エアバッグ本体が展開膨張する際に、エアバッグ本体が乗員の頭部に干渉することを抑制することができ、乗員の身体の一部の車外移動をより確実に抑制することができる。しかも、バックウィンド形状の見映えも向上し、また、空力特性も良好となる。
【００２３】
この発明の一実施態様においては、上記複数のエアバッグ本体は、展開膨張された状態で上記バックウィンドの上縁部近傍において車両前後方向に互いに重畳するように構成されたものである。  
【００２４】
上記構成によれば、エアバッグ本体は、左右夫々が展開膨張された際に、バックウィンドの上縁部近傍において車両前後方向に重畳するようになる。  
【００２５】
このため、エアバッグ本体の展開膨張時に、車幅方向中心部を上下方向により広く覆うことができる。  
【００２６】
よって、乗員の身体の一部の車外移動をより確実に抑制することができる。
【００２７】
この発明の一実施態様においては、上記複数のエアバッグ本体は、夫々の展開膨張開始タイミングが異なるように設定されたものである。
【００２８】
上記構成によれば、複数のエアバッグ本体は、左右夫々の展開膨張の際に、一方が膨張展開している時、又は、一方が膨張展開した後に、他方が展開膨張することになる。  
【００２９】
このため、これらのエアバッグ本体は、左右夫々の展開膨張の際に、互いの展開膨張に影響を与えることを可及的に防ぐことができ、左右夫々のエアバッグ本体をより確実に早期に展開膨張させることができる。  
【００３０】
よって、乗員の身体の一部の車外移動をより確実に抑制することができる。
【００３１】
この発明の一実施態様においては、上記バックウィンドは、該バックウィンドの上縁部において、車幅方向中央部分が車幅方向外方部分よりも車両後方側に位置するよう湾曲形成され、上記横転判定手段は、車両の横転時に車両の左右の内の下方側となる一方を判定するとともに、上記複数のエアバッグ本体の上記下方側となる一方を先に展開膨張させるように構成されたものである。  
【００３２】
上記構成によれば、上記バックウィンドは、該バックウィンドの上縁部において、車幅方向中央部分が車幅方向外方部分よりも車両後方側に位置するよう湾曲形成され、左右のエアバッグ本体の内下方側に位置するエアバッグ本体は、バックウィンドの湾曲により、横転時の水平方向に対する車幅方向の角度が大きくなるにしたがいバックウィンドと乗員の頭部との離間距離が短くなるが、この下方側のエアバッグ本体が先に展開膨張することになる。  
【００３３】
このため、乗員の頭部とバックウィンドとの離間距離が小さい側において、早期に乗員の頭部とバックウィンドの間にエアバッグ本体を確実に展開膨張させることができる。  
【００３４】
よって、乗員の身体の一部の車外移動をより確実に抑制することができる。
【発明の効果】
【００３５】
この発明によれば、シートバックの上方にバックウィンドが配設された車両においても、車両の横転時又は横転予知時に、カーテン状に展開膨張するエアバッグ本体が、バックウィンドの車室内方側に位置して乗員の身体の一部の車外移動を抑制することができる。  
【００３６】
したがって、車両の横転対応保護装置において、シートバックの上方にバックウィンドを配設した車両における、横転時等のバックウィンドからの乗員の身体の一部の車外移動を抑制して、乗員保護性能をさらに向上することができる。
【発明を実施するための最良の形態】
【００３７】
以下、図面に基づいて本発明の実施形態を詳述する。    図１は、本実施形態の車両の横転対応保護装置を採用した車両の全体平面図である。    本実施形態の車両Ｖは、車室内に前席１と後席２とを備えた４人乗りのスポーツカーである。この車両の車室前方にはフロントウィンド３を設置し、車室後方には車幅方向で湾曲するバックウィンド４を設置し、左右のドア５，６の上部にはサイドウィンド５ａ，６ａをそれぞれ設置している。尚、ウィンドは、いずれもガラスで覆われている。  
【００３８】
このうち、サイドウィンド５ａ，６ａとバックウィンド４の上側周縁部には、それぞれ車両の横転又は横転予知を検出した際にカーテン状に展開膨張するエアバッグ本体１０、２０を収納状態で設置している。  
【００３９】
サイドウィンド５ａ，６ａの上側周縁部に設置したエアバッグ本体１０，１０は、サイドカーテンエアバッグ装置のエアバッグ本体１０，１０であり、横転時や側面衝突等には、サイドウィンド５ａ，６ａの車室内方側でカーテン状に展開膨張して、乗員の身体の一部の車外方向への移動を抑制する。  
【００４０】
このエアバッグ本体１０は、図示しない取付け部材によって、サイドウィンド５ａ，６ａの上縁部を取り囲むように、車両前方のＡピラー７，７からサイドレール８，８を経由してＢピラー９，９に亘って設置しており、車室内のトリム部材（図示せず）によって覆われるように設置している。  
【００４１】
また、このエアバッグ本体１０は、展開膨張時にサイドウィンド５ａ，６ａの開口下縁（ベルトライン）の近傍で、車両前後方向にテンションが得られるように、その前端と後端を、それぞれＡピラー７，７の下端部とＢピラー９、９の下端部に設置している。  
【００４２】
Ｂピラー９，９内には、横転時等にこのエアバッグ本体１０，１０に対してガスを供給する筒状のインフレータ１１，１１を、長手方向が上下方向に向くように設置している。  このサイドカーテンエアバッグ装置は、後述の制御フローに従って制御される。  
【００４３】
バックウィンド４の上側周縁部のエアバッグ本体２０は、バックウィンドカーテンエアバッグ装置のエアバッグ本体２０（特許請求の範囲におけるエアバッグ本体）であり、横転時等には、バックウィンド４の車室内方側でカーテン状に展開膨張して、乗員の身体の一部の車外移動を抑制する。  
【００４４】
すなわち、本実施形態のようなスポーツカーでは、車高を低くして、走行中の空気抵抗を少なくするために、バックウィンド４を水平方向に緩やかに傾斜配置することが多いが、このように傾斜配置したことにより、バックウィンド４が後席２の立設状態のシートバック２ａの上方に位置することになる。  
【００４５】
このようにバックウィンド４がシートバック２ａの上方に位置すると、車両の横転時に破損したバックウィンド４から乗員の身体の一部が車外方向へ移動する可能性が生じ、乗員保護性能を向上できないおそれがあった。  
【００４６】
そこで、本実施形態では、バックウィンド４の上側周縁部にエア
バッグ本体２０を設置して、車両の横転時の乗員保護性能を向上しているのである。なお、具体的な構造については、後述する。  
【００４７】
車室の前部中央には、車両の横転を検出する横転検出センサ１２を設置している。この横転検出センサ１２は、車両のロール角（車両の前後軸周りの角度）及びロール角速度を検出するロール角センサで構成しており、例えば、回転に応じて所定の質量に生じる力を検出する角速度センサや、振動ジャイロ、ガスレートジャイロ等を用いている。なお、この横転検出センサ１２は、横転の予知を行う横転予知センサであってもよい。  
【００４８】
また、ＲＳＣ（ロールスタビリティーコントロール）に利用されるロール角センサを利用してもよい。この場合、別途ロール角センサを必要とせず、部品コスト削減となる。  
【００４９】
後席２には、乗員を拘束するシートベルト装置１３を設置している。このシートベルト装置１３は、乗員の上体を直接拘束するベルト部材に対して張力を付与するプリテンショナ機構を備えた三点式のシートベルト装置である。
【００５０】
シートベルト装置１３は、車体パネルに固定したプリテンショナ付きのリトラクター装置１４と、乗員の上体を拘束するベルト部材１５と、バックル部材１６とを備えている。（図５参照）  
【００５１】
なお、このシートベルト装置は、ショルダーアンカー（ベルト部材の上端部を支持する部材）をＢピラーに設置するタイプであるが、これに限定されず、シートバック２ａにリトラクター装置を内蔵するタイプであってもよい。  
【００５２】
プリテンショナは、一般的な構造のものであり、詳細には説明しないが、所定の作動信号を受けた場合に、ベルト部材１５を強制的にリトラクター装置１４内に引き込み、乗員の上体を強制的にシートバック２ａに拘束するものである。  
【００５３】
なお、さらに乗員の拘束力を高めるために、バックル部材１６を車両下方側に引き込むラッププリテンショナを設け、プリテンショナと同時に作動させるように構成してもよい。
【００５４】
次に図２〜図６に基づいて、バックウィンドカーテンエアバッグ装置等の詳細構造について説明する。図２は、バックウィンドカーテンエアバッグの非展開膨張の状態を示す車両後部の詳細平面図、図３は、バックウィンドカーテンエアバッグの展開膨張した状態を示す車両後部の詳細平面図、図４は横転予知時における車両後部の背面図、図５は図３のＡ−Ａ線矢視の側面図、図６は図３のＢ−Ｂ線矢視の側面図、図７は図６のＣ−Ｃ線矢視の平面図、図８は図５の詳細構造を示す拡大側面図である。
【００５５】
本実施形態のバックウィンドカーテンエアバッグ装置は、バックウィンド４の左右縁部近傍に夫々設定されたエアバッグ本体２０を備えており、この左右のエアバッグ本体２０は、夫々が左右対象の関係で設けられており、同一の構成となっていることから、右側のエアバッグ本体２０のみを詳述し、左側のエアバッグ本体２０の説明を省略する。
【００５６】
右側のエアバッグ本体２０は、車両後方から見てバックウィンド４の車幅方向右側に設けられた第１エアバッグ部２０aと、この第１エアバッグ部２０aに供給するガスを噴出する第１インフレータ２１aと、この第１インフレータ２１aで噴出したガスを第１エアバッグ部２０aに供給する第１連通管２２aとを備えている。  なお、Ｃピラー２４とＢピラー９との間には、嵌め込み式のウィンドガラス２５を設置している。
【００５７】
図２、３、４に示すように、この第１エアバッグ部２０aは、車両後方から見てバックウィンド４の車幅方向右側の縁部近傍のＣピラー２４の左端部の右側取付部２８aで、少なくとも車両前方側の部分に沿うように上下方向に延び、かつ、バックウィンド４の上方側縁部近傍の車幅方向に延びるリアヘッダー２３の後部の上縁取付部２８b（特許請求の範囲における上縁取付部）で、少なくとも右側の部分に沿って車幅方向に延びるように設けられている。つまり、第１エアバッグ部２０aは、バックウィンド４の右側取付部２８aと上縁取付部２８bの両方に沿って設けられている。また、この第１エアバッグ部２０aは、布製のバッグ部材が折り畳んだ収納状態で設置されている。（図８参照）
【００５８】
この第１エアバッグ部２０aが展開膨張した場合には、第１エアバッグ部２０aは、袋状の膨張部２６及び布状の非膨張部２７を備えるバッグ部材で構成されており、バッグ部材は、Ｃピラー２４の左側の右側取付部２８aと、リアヘッダー後部の上縁取付部２８bとに取付られ、平面視略三角形の形状をしている。なお、上縁取付部２８bはリアヘッダーの後部の最も左側の一点のみであってもよい。
【００５９】
右側取付部２８a及び上縁取付部２８bは、第１エアバッグ部２０aの外周端が取付られており、バックウィンド４の右縁部近傍のＣピラー２４内方側に、第１エアバッグ部２０aが強固に取付けられている。  
【００６０】
また、第１エアバッグ部２０aは、バックウィンド４の上方側縁部近傍のリアヘッダー２３の後部に設定された上縁取付部２８ｂに取付けているため、第１エアバッグ部２０aのバッグ部材が展開膨張した際に、このバッグ部材の下端部（下辺部）でテンションを生じさせることができる。
【００６１】
図３に示すように、袋状の膨張部２６は、右側取付部２８aから上縁取付部２８bにかけて複数並んで設けられ（本実施例では３つ）、右側取付部２８a及び上縁取付部２８b側から、車両後方で、かつ、車幅方向の内方側に向けて車両前後方向に対して斜めに展開膨張するように構成されている。なお、図６に示すように、膨張部２６の内、右側取付部２８aと上縁取付部２８bとから展開膨張される比較的容量が大きな中央部２６aは、右に着座した乗員の頭部の上方側近傍に位置している。第１連通口２２aは、中央部２６a近傍に連結されており、この中央部２６aの展開膨張を優先的に行うようにしている。  
【００６２】
このため、乗員の頭部近傍の上方側縁部から第1エアバッグ部２０aが展開膨張されることになり、早期に乗員の頭部を保護することができる。
【００６３】
第１インフレータ２１aは、Ｃピラー２４の右側取付部２８aの右側に、この右側取付部２８aに沿って長手方向が上下方向となるように設けられている。  
【００６４】
この第１インフレータ２１aは、アジ化ナトリウム等のガス発生剤を点火装置で発火して高温ガスを発生する一般的なインフレータではなく、所定の圧縮ガスを封入して閉鎖弁を作動時に解放することで、低温ガス（大気温よりもやや高い温度のガス）を第１エアバッグ部２０aに供給する低温ガスタイプのインフレータである。  
【００６５】
この低温ガスタイプの第１インフレータ２１aは、第１エアバッグ部２０aの展開膨張時に、高温タイプのように、車室内の定温の空気によって急速に冷却されてガス容積が瞬時に収縮するといった現象が生じないため、一般に、第1エアバッグ部２０aを長時間に亘って展開膨張させておく場合に使用する。
【００６６】
つまり、第１インフレータ２１aを低温タイプの第１インフレータ２１aで構成しているため、長時間確保することが可能であり、第１インフレータ２１aのガス噴射終了後、所定時間はその展開膨張状態を維持する。よって、高い頻度で、車両の横転が終了するまで第１エアバッグ部２０aのバッグ部材をカーテン状に展開膨張させておくことが可能となる。
【００６７】
第１連通管２２aは、第１インフレータ２１aの上部の噴出口に連結され、右側取付部２８aの上部に位置した第１エアバッグ部２０aのガス供給口に連結されるように、車幅方向に延びるように設けられている。
【００６８】
車両の後方側から見てバックウィンド４の左側縁部近傍に設けられた左側のエアバッグ本体２０は、上述の右側のエアバッグ本体と左右対称の関係で、同様に、第２エアバッグ部２０bと、第２インフレータ２１bと、第２連通管２２bとを備えている。
【００６９】
図３、４は、第１及び第２エアバッグ部２０a、２０bがカーテン状に展開膨張した状態を示しているが、この図に示すように、第１及び第２エアバッグ部２０a、２０bは、車両後方側で、車両内方に傾斜した斜め方向に向かって展開膨張すると、バックウィンド４のほぼ前半部分の全てを覆うように展開膨張する。
【００７０】
このため、後席２の乗員とバックウィンド４との間には、カーテン状に展開膨張した第１及び第２エアバッグ部２０a、２０bが位置することになり、車両Ｖの横転時には、バックウィンド４から乗員の身体の一部が車外方向へ移動するのを抑制できる。  
【００７１】
また、バックウィンド４を全て覆うように展開膨張させるのではなく、後半部分を覆わないように展開することで、乗員の保護に関係ない部分を展開させないため、第１及び第２インフレータ２１a、２１bのガス供給量を少なくすることができ、また、第１及び第２エアバッグ部２０a、２０bの容量（膨張部２６）も少なくできるため、即座に第１及び第２エアバッグ部２０a、２０bを展開膨張状態にすることができる。  
【００７２】
図７に示すように、バックウィンド４が、デザインや空力特性上、水平断面で車幅方向に沿って車両後方側に凸状となるように湾曲する湾曲面で全体的に形成され、この車両の場合（バックウィンド４の上方側縁部において、車幅方向中央部分が車幅方向外方部分よりも車両後方側に位置するよう湾曲形成された車両の場合）には、第１及び第２エアバッグ部２０a、２０bは、湾曲形成されたバックウィンド４の車幅方向の内方側に向けて展開膨張するように構成するのが好ましい。なぜなら、バックウィンド４が、このように湾曲すると、バックウィンド４の乗員の頭部から後方側に比較的離間した部分に第１及び第２エアバッグ部２０a、２０bを展開膨張させることができ、第１及び第２エアバッグ部２０a、２０bの展開膨張時に、この第１及び第２エアバッグ部２０a、２０bが乗員に干渉することを可及的に防ぐことができるからである。  
【００７３】
また、図３及び５に示すように、布状の非膨張部２７は、左右夫々の第１及び第２エアバッグ部２０a、２０bが展開膨張された状態でバックウィンド４の上方側縁部においては前後方向に重畳するように構成される。つまり、この非膨張部２７を重畳するように構成することで、第１及び第２エアバッグ部２０a、２０bの膨張展開時に、バックウィンド４の車幅方向中心部を広く塞ぐようになっている。  
【００７４】
第１及び第２エアバッグ部２０a、２０bが収納時バックウィンド４の上方側縁部の中央部分において前後方向にオーバーラップするように設けられており、第１及び第２エアバッグ部２０a、２０bの展開膨張時には、非膨張部２７が重畳するようになっている。また、図８に示すように、第２エアバッグ部２０bは、第１エアバッグ部２０aに対し、リアヘッダー２３での取付において、上方にオフセットして配置されており、第１及び第２エアバッグ部２０a、２０bの非膨張部２７がお互いに干渉しないようになっている。
【００７５】
また、図８に示すように、第１エアバッグ部２０aは、ルーフトリム２９の後端に、第２エアバッグ部２０bに比べて上方側に位置して設けられている。これにより、第１及び第２エアバッグ部２０a、２０bの展開膨張時には、その膨張する圧力により、ルーフトリム２９後端を上方側から下方側に大きく変形させることができる。  
【００７６】
なお、第１及び第２エアバッグ部２０a、２０bは、非膨張部２７が実質的に形成されず、全体が複数の膨張部２６で覆われるよう形成されてもよい。
【００７７】
以上の構成を制御する制御ブロックについて、図９に基づいて説明する。    本実施形態の車両の横転対応保護装置は、演算処理手段である中央処理装置（ＣＰＵ）３０に対して、入力手段である車速センサ３１と、横転検出センサ１２を接続し、出力手段であるシートベルト装置のプリテンショナ３２と、サイドカーテンエアバッグ装置のインフレータ１１と、バックウィンドカーテンエアバッグ装置の第１及び第２インフレータ２１a、２１bを接続することで、制御ブロックを構成している。
【００７８】
なお、入力手段として、さらに側突センサ等を接続することで、車両の側面衝突から横転する際にも、これら出力手段が作動するように構成してもよい。  
【００７９】
この制御ブロックは、図１０に示す制御フローによって、制御される。  
【００８０】
まず、Ｓ１で、車速センサ３１及び横転検出センサ１２で得られたデータを入力する。このとき、車速、ロール角、ロール角速度を中央処理装置に入力する。  
【００８１】
次に、Ｓ２で、横転判定の演算を行う。例えば、車速１００ｋｍ／ｈ以上の場合に、ロール角が５°以上で、ロール角速度が所定値以上であれば、横転の可能性が大きいと判定する。  
【００８２】
そして、Ｓ３で、横転可能性が大きいと判定されたかを判断し、横転可能性が大きいと判断されなかった場合（ＮＯ）には、再度Ｓ１に移行して、前述の制御を行う。  
【００８３】
一方、Ｓ３で横転可能性が大きいと判断した場合（ＹＥＳ）には、Ｓ４に移行して、シートベルト装置のプリテンショナを作動する。  
【００８４】
このように、プリテンショナを最初に作動させるのは、横転判定時に即座に乗員の上体を拘束することで、乗員の頭部Ｈを動きにくくして、確実に第１及び第２エアバッグ部２０a、２０bを、バックウィンド４と乗員の頭部Ｈとの間に展開膨張させるためである。  
【００８５】
そして、次にＳ５に移行して、サイドカーテンエアバッグ装置のインフレータ１１を作動させて、エアバッグ本体１０或いは左側に横転している側をサイドウィンド５ａ，６ａの車室内方側でカーテン状に展開膨張させる。
【００８６】
次に、Ｓ６に移行して、入力された車速、ロール角、ロール角速度から車両進行方向右側に横転しているか否かの判定を行い、右側に横転していると判定された場合（Ｙｅｓ）には、Ｓ７に移行して、バックウィンドカーテンエアバッグ装置用の第１インフレータ２１aの点火を行い、第１エアバッグ部２０aをバックウィンド４の車室内方側でカーテン状に展開膨張させる。
【００８７】
更に、Ｓ８に移行して、第１インフレータ２１aの点火後２から１００ｍｓまでのいずれかの所定時間後にバックウィンドカーテンエアバッグ装置用の第２インフレータ２１bの点火を行い、第２エアバッグ部２０bをバックウィンド４の車室内方側でカーテン状に展開膨張させる。尚、右に横転しているかを判定するのにその他のセンサ例えば、横Ｇセンサーからの信号を用いてもよい。また、２から１００ｍｓという値は、車両の特性に合わせて適宜変更してもよい。
【００８８】
一方、Ｓ６において、右側に横転していないと判定された場合（ＮＯ）には、左側に横転しているため、Ｓ９に移行して、バックウィンドカーテンエアバッグ装置用の第２インフレータ２１bの点火を行い、第２エアバッグ部２０bをバックウィンド４の車室内方側でカーテン状に展開膨張させる。
【００８９】
更に、Ｓ１０に移行して、第２インフレータ２１b点火後２から１００ｍｓまでのいずれかの所定時間後にバックウィンドカーテンエアバッグ装置用の第１インフレータ２１aの点火を行い、第１エアバッグ部２０aをバックウィンド４の車室内方側でカーテン状に展開膨張させる。  尚、この２から１００ｍｓという値は、車両の特性に合わせて適宜変更してもよい。
【００９０】
以上の制御フローによって、本実施形態の車両の横転対応保護装置の制御が行われる。
【００９１】
第１及び第２エアバッグ部２０a、２０bが左右夫々の展開膨張の際に、一方が膨張展開している時、又は、一方が膨張展開した後に、他方が展開膨張することになるため、第１及び第２エアバッグ部２０a、２０bは、左右夫々の展開膨張の際に、互いの展開膨張に影響を与えることを可及的に防ぐことができ、第１及び第２エアバッグ部２０a、２０bを夫々より確実に早期に展開膨張することができる。つまり、第１及び第２エアバッグ部２０a、２０bの夫々を同時に展開膨張した場合に、上下方向に重なっている非膨張部２７が互いに干渉しあって早期に展開膨張するのを妨げる。
【００９２】
また、上述のようにバックウィンド４が湾曲していることにより、図４に示すような横転時には、バックウィンド４の車幅方向（左側）を車両後方から見た場合、左右の内の下方側に位置する一方において、バックウィンド４と乗員頭部との距離が短くなる。これに対し、本実施形態では、この下方側となる一方側（図４において左）を他方側（同図において右）よりも先に展開するようにしている。  
【００９３】
このため、乗員の頭部とバックウィンドの離間距離が小さい方において、早期に乗員の頭部とバックウィンドの間にエアバッグ本体を展開膨張させることができ、乗員の身体の一部の車外移動をより確実に抑制することができる。
【００９４】
この発明は、前述の実施形態に限定されるものではなく、あらゆる車両の横転対応保護装置に適用する実施形態を含むものである。
【００９５】
例えば、４人乗りの車両に限定されず、後席に３人座ることができる５人乗りの車両であってもよい。また、後席を設けない２人乗りの車両で実施してもよく、この場合の「シート」は、運転席や助手席に該当する。
【００９６】
また、インフレータについても、高温ガスタイプのインフレータであってもよく。さらに、バッグ部材の形状も平面視略三角形形状に限定されず、バックウィンドの形状に応じて、矩形形状や曲率を持った円形形状等であってもよい。  また、第１及び第２エアバッグ２０a、２０bは、同時に展開膨張を開始してもよい。
【図面の簡単な説明】
【００９７】
【図１】本実施形態を採用した車両の全体平面図。
【図２】バックウィンドカーテンエアバッグの非展開膨張の状態を示す車両後部の詳細平面図。
【図３】バックウィンドカーテンエアバッグの展開膨張した状態を示す車両後部の詳細平面図。
【図４】車両後部の詳細平面図横転予知時における車両後部の背面図。
【図５】図３のＡ−Ａ線矢視側面図。
【図６】図３のＢ−Ｂ線矢視側面図。
【図７】図６のＣ−Ｃ線矢視平面概略図。
【図８】図５の詳細構造を示す拡大側面図。
【図９】本実施形態の制御ブロック図。
【図１０】本実施形態の制御フローチャート。
【符号の説明】
【００９８】
２…後席（シート）２ａ…シートバック４，１０４…バックウィンド１０，２０，１２０…エアバッグ本体１２…横転検出センサ１３…シートベルト装置２０a…第１エアバッグ部２０b…第２エアバッグ部２１…インフレータ２６…膨張部２７…非膨張部２８a…右側取付部２８b…上縁取付部３０…中央処理装置（横転判定手段）
【図１】
2007055392.tif 000003
【図２】
2007055392.tif 000004
【図３】
2007055392.tif 000005
【図４】
2007055392.tif 000006
【図５】
2007055392.tif 000007
【図６】
2007055392.tif 000008
【図７】
2007055392.tif 000009
【図８】
2007055392.tif 000010
【図９】
2007055392.tif 000011
【図１０】
2007055392.tif 000012